(57)【要約】      （修正有）【課題】受け取った者に強い印象を与えて忘れにくいものにするとともに、名刺を通じて相手に好印象を与えることが可能であり、更に製造コストを抑えることが可能な名刺を提供する。【解決手段】名刺１における会社名、氏名住所等の表示部分３以外の余白部分に、葉、草、花等の自然物からなる装飾物４を糊により貼着してなることを特徴としており、これにより、単に氏名、勤務先、身分、住所、電話番号等の文字のみを記載した名刺と異なり、相手方に強い印象を与えて忘れにくいものにすることができるとともに、例えば季節に合わせた葉や花等を貼着することで、名刺を通じて相手に好印象を与えることも可能であり、更に、透明フィルム等でカバーした場合と異なり、透明フィルムが不要であるとともに透明フィルムでカバーする手間が少なく、製造コストを抑えることもできる。【選択図】図１
0003138301.tif 000002
【実用新案登録請求の範囲】
【請求項１】
名刺における会社名、氏名住所等の表示部分以外の余白部分に、葉、草、花等の自然物からなる装飾物（４）を貼着したことを特徴とする名刺。
【請求項２】
前記装飾物（４）を糊により貼着したことを特徴とする請求項１に記載の名刺。
【考案の詳細な説明】
【技術分野】
【０００１】
本考案は名刺に係り、より詳しくは、会社名、氏名住所等の表示部分以外の余白部分に、葉、草、花等の自然物からなる装飾物を貼着し、これにより、名刺を通じて相手に好印象を与えることを可能にした名刺に関する。
【背景技術】
【０００２】
周知のように、名刺は、自己紹介の場において交換することで専ら自身の氏名等を明らかにするために用いられているため、これを受け取った者に強い印象を与えて忘れにくいものにすることが望ましい。また、名刺は初対面の者同士が相互に交換するものであるから、名刺を通じて相手に好印象を与えることができるようなものにすることも望ましい。
【０００３】
しかしながら、従来の名刺は、氏名、勤務先、身分、住所、電話番号等の文字が記されているのみであることが一般的であり、そのため、相手に与える印象が薄く、相手の注意を引きつけ、また会話の糸口となる材料を提供することが難しく、また華やかさに欠け、これが印象を薄くする要因の一つにもなっている。
【０００４】
この点、近年になり、顔写真を表示したり、素材を紙以外のものにしたり、又は全体を着色した名刺が提供されており、これによれば、ある程度は相手方にインパクトを与えることも可能であるが、このような加工を施した場合には、コストが高くなってしまうという問題点が指摘できる。特に近年は、ビジネスマンにとどまらず、主婦や学生等、広く名刺が利用されているところ、この主婦、学生等にとっては名刺作成のための費用は大きな負担になる。
【０００５】
また、近年、名刺の片面に押花を重ね合わせるとともに、その花を透明フィルムでカバーした名刺も提案されているが、このような名刺では、透明フィルムでカバーする手間が大きく、それにより製造コストが高くなってしまうために、一般向けではない。
【特許文献１】実開平６−５７６６９号公報
【特許文献２】実開平６−３４９７８号公報
【特許文献３】実開平１−１１５７６６号公報
【考案の開示】
【考案が解決しようとする課題】
【０００６】
そこで、本考案は、受け取った者に強い印象を与えて忘れにくいものにするとともに、名刺を通じて相手に好印象を与えることが可能であり、更に製造コストを抑えることが可能な名刺を提供することを課題としている。
【課題を解決するための手段】
【０００７】
本考案の名刺は、名刺における会社名、氏名住所等の表示部分以外の余白部分に、葉、草、花等の自然物からなる装飾物を貼着してなることを特徴としている。
【考案の効果】
【０００８】
本考案の名刺では、名刺における会社名、氏名住所等の表示部分以外の余白部分に葉、草、花等の装飾物を貼着しているために、単に氏名、勤務先、身分、住所、電話番号等の文字のみを記載した名刺と異なり、相手方に強い印象を与えて忘れにくいものにすることができる。
【０００９】
また、葉、草、花等の装飾物を貼着しているために、例えば季節に合わせた花等を貼着することで、名刺を通じて相手に好印象を与えることも可能であるとともに、透明フィルム等でカバーした場合と異なりコストを抑えることも可能で極めて実用的である。
【考案を実施するための最良の形態】
【００１０】
本考案の名刺では、所定の箇所に会社名、氏名住所等を印刷した名刺本体を有しており、この名刺本体における前記会社名、氏名住所等の表示部分以外の余白部分には、葉、草、花等の自然物からなる装飾物を貼着している。
【００１１】
ここで、前記葉、草、花等の装飾物の貼着は糊で行なうとよく、これにより、透明フィルム等でカバーした場合と異なり、透明フィルムが不要であるとともに透明フィルムでカバーする手間が少なく、製造コストを抑えることもできる。
【実施例１】
【００１２】
本考案の名刺の実施例について図面を参照して説明すると、図１は、本実施例の名刺の表面を示した図であり、図において１が本実施例の名刺である。
【００１３】
また、図において２は名刺本体であり、本実施例においてこの名刺本体２は紙製としており、一般的な名刺に使用されている紙と同様に、少し厚めの素材を用いて略長方形状としている。
【００１４】
そして、この名刺本体２には、左側上方部分を残して、上段から、肩書き、氏名（振り仮名）、住所等の、自身を紹介するための紹介事項３が印字されており、これにより、従来から存在する一般的な名刺として完成している。
【００１５】
次に、図において４は装飾物であり、本実施例においてこの装飾物としては、葉としている。即ち、本実施例の名刺では、前記名刺本体２において、肩書き、氏名（振り仮名）、住所等の紹介事項３を印字した箇所以外の余白部分に、具体的には左上方の余白部分に、装飾物としての葉４を貼着している。
【００１６】
そして、本実施例においては、前記葉４を、糊により名刺本体２に貼着している。即ち、葉４の裏面に糊を塗布した後にこの葉４を名刺本体２に貼着し、あるいは、名刺本体２における葉４を貼着する部分に予め糊を塗布し、その後にその糊を塗布した部分に葉４を重ね合わせて貼着している。
【００１７】
このように、本実施例の名刺１では、名刺本体２における会社名、氏名住所等の表示部分３以外の余白部分に葉４を貼着しているため、これにより、相手方に強い印象を与えて忘れにくいものにすることができる。
【００１８】
そしてこのとき、季節に合わせて、例えば秋には紅葉を貼着することで、名刺を通じて相手に好印象を与えることも可能である。
【００１９】
また、本実施例では、糊により葉４を貼着しているために、透明フィルムでカバーする場合と異なり、手間がかからないとともにフィルム等も不要のために製造コストを抑えることも可能である。
【００２０】
なお、前述の説明では葉４を貼着した場合を説明したが、本考案の名刺では必ずしも葉を貼着する場合には限定されず、名刺に貼着可能な大きさの自然物であればいずれでもよく、例えば、図２及び図３に示すように、装飾物として花、木を貼着してもよい。そして、この場合でも、例えば季節に合わせた花を貼着することで、名刺を通じて相手に好印象を与えることが可能である。
【産業上の利用可能性】
【００２１】
本考案の名刺では、名刺における会社名、氏名住所等の表示部分以外の余白部分に葉、草、花等の装飾物を貼着し、これにより、相手方に強い印象を与えて忘れにくいものにしているため、自己紹介等に用いるカード等の全般に適用可能である。
【図面の簡単な説明】
【００２２】
【図１】本考案の名刺の実施例を説明するための図である。
【図２】本考案の名刺の実施例の他の構成を説明するための図である。
【図３】本考案の名刺の実施例の他の構成を説明するための図である。
【符号の説明】
【００２３】
１    名刺
２    名刺本体
３    紹介事項
４    装飾物（葉、花、木）
【図１】
0003138301.tif 000003
【図２】
0003138301.tif 000004
【図３】
0003138301.tif 000005